【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
ネットワークに接続される端末に着脱自在に接続されるデバイスと、
前記ネットワークに接続されるホストコンピュータと、を備え、
前記デバイスは、
前記デバイスに割り当てられた識別情報及び前記ホストコンピュータのアドレス情報（以下、「ホストアドレス情報」と呼ぶ。）を格納した記憶手段と、
前記デバイスが前記端末と接続されたことに応答して、前記識別情報及び前記ホストアドレス情報を前記端末に送信する情報処理手段と、を含み、
前記ホストコンピュータは、前記デバイスの接続に応答して前記ホストアドレス情報に基づき前記端末が送信した前記識別情報を受信し、前記ネットワーク上の複数のリソースのアドレス情報から、受信した前記識別情報に関連付けられたアドレス情報を検索し、そのアドレス情報を前記端末に送信する、自動アクセスシステム。
【請求項２】
前記デバイスの前記記憶手段は、前記端末のオペレーティングシステムに対するコマンドを格納し、
前記情報処理手段は、前記デバイスが前記端末と接続されたことに応答して、前記識別情報及び前記ホストアドレス情報と共に前記コマンドを前記端末に送信し、
前記ホストコンピュータは、前記コマンドに応答して前記ホストアドレス情報に基づき前記端末が送信した前記識別情報を受信する、請求項１記載の自動アクセスシステム。
【請求項３】
各々が、ネットワークに接続可能な対応する端末に接続され、コードを読み込む複数のデバイスと、
前記複数のデバイスが送出した複数の前記コードを受信するホストコンピュータと、を備え、
前記デバイスの各々は、
割り当てられた識別情報及び前記ホストコンピュータのアドレス情報（以下、「ホストアドレス情報」と呼ぶ。）を格納した記憶手段と、
前記コードの読み込みに応答して、前記コード、前記識別情報及び前記ホストアドレス情報を、対応する前記端末に送信する情報処理手段と、を含み、
前記ホストコンピュータは、前記ホストアドレス情報に基づき前記端末が送信した前記コード及び前記識別情報を受信し、前記ネットワーク上に配置された複数のリソースのアドレス情報から、受信した前記識別情報に関連付けられたアドレス情報を検索し、そのアドレス情報を前記端末に送信し、かつ、受信した前記コードを、検索した前記アドレス情報が示す前記リソースに間接的又は直接的に送信する、自動アクセスシステム。
【請求項４】
前記デバイスの前記記憶手段は、前記端末のオペレーティングシステムに対するコマンドを格納し、
前記情報処理手段は、前記コードが読み込まれたことに応答して、前記コード、前記識別情報及び前記ホストアドレス情報と共に前記コマンドを前記端末に送信し、
前記ホストコンピュータは、前記コマンドに応答して前記ホストアドレス情報に基づき前記端末が送信した前記識別情報及び前記コードを受信する、請求項３記載の自動アクセスシステム。
【請求項５】
ネットワークに接続される端末にインストールされ、デバイスが前記端末に接続されたことに応答して処理を実行する応答手段と、
前記ネットワークに接続されるホストコンピュータと、を備え、
前記応答手段は、前記デバイスが前記端末と接続されたことに応答して、前記ホストコンピュータのアドレス情報（以下、「ホストアドレス情報」と呼ぶ。）に基づき、前記デバイスの側の識別情報を前記ホストコンピュータに送信し、
前記ホストコンピュータは、前記識別情報を受信し、前記ネットワーク上の複数のリソースのアドレス情報から、受信した前記識別情報に関連付けられたアドレス情報を検索し、そのアドレス情報を前記端末に送信する、自動アクセスシステム。
【請求項６】
ネットワークに接続可能な端末に接続され、コードを読み込むデバイスと、
前記端末にインストールされ、前記デバイスが前記端末に接続されたことに応答して処理を実行する応答手段と、
前記ネットワークに接続されるホストコンピュータと、を備え、
前記応答手段は、前記ホストコンピュータのアドレス情報（以下、「ホストアドレス情報」と呼ぶ。）に基づき、前記デバイスから与えられた前記コード及び前記デバイスの側の識別情報を前記ホストコンピュータに送信し、
前記ホストコンピュータは、前記コード及び前記識別情報を受信し、前記ネットワーク上に配置された複数のリソースのアドレス情報から、受信した前記識別情報に関連付けられたアドレス情報を検索し、そのアドレス情報を前記端末に送信し、かつ、受信した前記コードを、検索した前記アドレス情報が示す前記リソースに間接的又は直接的に送信する、自動アクセスシステム。
【請求項７】
前記識別情報及び／又は前記ホストアドレス情報は、前記デバイスが前記応答手段に与える、請求項５又は６記載の自動アクセスシステム。
【請求項８】
前記デバイスは、ＵＳＢ（Ｕｎｉｖｅｓａｌ  Ｓｅｒｉａｌ  Ｂｕｓ）デバイスである、請求項１から７のいずれかに記載の自動アクセスシステム。
【請求項９】
前記デバイスは、コードを読み込み解読するコードリーダである、請求項１、２、及び５のいずれかに記載の自動アクセスシステム。
【請求項１０】
前記ホストコンピュータは、前記デバイスが解読した前記コードを前記端末から受信し、当該デバイスの前記識別情報に関連付けられた前記アドレス情報が示す前記リソースに間接的又は直接的に送信する、請求項３，４、６、及び９のいずれかに記載の自動アクセスシステム。
【請求項１１】
前記デバイスは、前記端末にキーボードとして認識されるように設定される、請求項１から１０のいずれかに記載の自動アクセスシステム。
【請求項１２】
請求項１から１１のいずれか一に記載のホストコンピュータ。
【請求項１３】
請求項１から１１のいずれか一に記載のデバイス。
【請求項１４】
請求項５から７のいずれかに記載の応答手段を含む応答装置。
【請求項１５】
ネットワークに接続される端末に着脱自在に接続されるデバイスと、前記ネットワークに接続されるホストコンピュータと、を利用した自動アクセス方法であって、
前記ホストコンピュータが、前記デバイスの接続に応答して前記ホストコンピュータのアドレス情報（以下、「ホストアドレス情報」と呼ぶ。）に基づき前記端末が送信した前記デバイスの側の識別情報を受信するステップと、
前記ホストコンピュータが、前記ネットワーク上の複数のリソースのアドレス情報から、受信した前記識別情報に関連付けられたアドレス情報を検索するステップと、
前記ホストコンピュータが、検索した前記アドレス情報を前記端末に送信するステップと、を含む自動アクセス方法。
【請求項１６】
各々が、ネットワークに接続可能な対応する端末に接続され、コードを読み込む複数のデバイスと、前記複数のデバイスが送出した複数の前記コードを受信するホストコンピュータと、を利用した自動アクセス方法であって、
前記ホストコンピュータが、前記デバイスによる前記コードの読み込みに応答して前記ホストコンピュータのアドレス情報（以下、「ホストアドレス情報」と呼ぶ。）に基づき前記端末が送信した前記コード及び前記デバイスの側の識別情報を受信するステップと、
前記ホストコンピュータが、前記ネットワーク上に配置された複数のリソースのアドレス情報から、受信した前記識別情報に関連付けられたアドレス情報を検索するステップと、
前記ホストコンピュータが、検索した前記アドレス情報を前記端末に送信するステップと、
前記ホストコンピュータが、受信した前記コードを、検索した前記アドレス情報が示す前記リソースに間接的又は直接的に送信するステップと、を含む自動アクセス方法。
【請求項１７】
ネットワークに接続される端末に着脱自在に接続されるデバイスと、前記ネットワークに接続されるホストコンピュータと、を利用した自動アクセス方法であって、
前記デバイスが前記端末と接続されたことに応答して、前記ホストコンピュータのアドレス情報（以下、「ホストアドレス情報」と呼ぶ。）に基づき、前記デバイスの側の識別情報を前記ホストコンピュータに送信するステップと、
前記ネットワーク上の複数のリソースのアドレス情報のうち、前記ホストコンピュータが受信した前記識別情報に関連付けられたアドレス情報を、前記ホストコンピュータから受信するステップと、を含む自動アクセス方法。
【請求項１８】
各々が、ネットワークに接続可能な対応する端末に接続され、コードを読み込む複数のデバイスと、前記複数のデバイスが送出した複数の前記コードを受信するホストコンピュータと、を利用した自動アクセス方法であって、
前記ホストコンピュータのアドレス情報（以下、「ホストアドレス情報」と呼ぶ。）に基づき、前記デバイスから与えられた前記コード及び前記デバイスの側の識別情報を前記ホストコンピュータに送信するステップと、
前記ネットワーク上の複数のリソースのアドレス情報のうち、前記ホストコンピュータが受信した前記識別情報に関連付けられたアドレス情報を、前記ホストコンピュータから受信するステップと、を含む自動アクセス方法。
【請求項１９】
請求項１５から１８のいずれか一に記載の自動アクセス方法をコンピュータに実行させるコンピュータプログラム。
【手続補正２】
【補正対象書類名】明細書
【補正対象項目名】発明の名称
【補正方法】変更
【補正の内容】
【発明の名称】自動アクセスシステム、ホストコンピュータ、デバイス、応答装置、自動アクセス方法、及び、コンピュータプログラム